(57)【特許請求の範囲】
【請求項１】
シリンジの外筒を着脱自在に保持するシリンジ保持部と、
該シリンジ保持部の外周に形成され、かつ、ペンを持つように、親指、人差し指、中指の３本の指で歯科用シリンジを保持した状態において、人差し指と中指とで挟むことができる挟持用羽部と、
前記シリンジ保持部の外周に形成され、かつ、ペンを持つように、親指、人差し指、中指の３本の指で歯科用シリンジを保持した状態において、親指を載置できる載置用羽部と、を備え、
シリンジの軸方向と直交する平面への投影像において、
ペンを持つように、親指、人差し指、中指の３本の指で歯科用シリンジを保持した状態において中指が位置する側の、前記シリンジ保持部の外周を囲う最小の仮想円の中心、及び、前記挟持用羽部の形成位置を結ぶ第１の線分と、前記仮想円の中心、及び、前記載置用羽部の形成位置を結ぶ第２の線分とのなす角が９０°以上１７０°以下の範囲であることを特徴とする歯科用シリンジ保持具。
【請求項２】
前記挟持用羽部の最大厚み寸法は、０．２ｍｍ以上５ｍｍ以下である、請求項１に記載の歯科用シリンジ保持具。
【請求項３】
前記挟持用羽部の最大厚み寸法及び前記載置用羽部の最大厚み寸法は、０．２ｍｍ以上５ｍｍ以下である、請求項１又は２に記載の歯科用シリンジ保持具。
【請求項４】
シリンジをスライド可能に保持する、請求項１〜３のいずれかに記載の歯科用シリンジ保持具。
【発明の詳細な説明】
【技術分野】
【０００１】
本発明は、歯科用シリンジ保持具、詳細には、補綴物（または修復）用のペーストが充填される歯科用シリンジ保持具に関するものである。
【背景技術】
【０００２】
歯の欠損による口腔機能の低下を回復する治療方法として、補綴修復治療がある。補綴修復治療では、歯科用の金属、陶材、コンポジットレジン、セラミックス等の材料によって歯冠形態の補綴物を作製し、作製した補綴物を修復部位に接着・合着させる。より具体的な例として、前装冠を作製する場合の手順の概略を示す。なお、前装冠とは被覆冠のうち、外観に触れる部分をレジン材料などの歯冠材料により製作することで口腔内の機能だけではなく、審美性を回復する歯冠修復物である。
【０００３】
まず、メタルフレームと呼ばれる金属の鋳造物にサンドブラストなどの適切な前処理を施し、処理面に金属接着性プライマーを筆などで塗布する。
メタルフレームの表面には、レジンとの機械的結合力を高めるためリテンションビーズを付着させることによって、凹凸を形成する前処理を行うこともある。この場合、複数のリテンションビーズ間の隙間を埋め、接着強度を付与するために、プレオペーク材というものを塗布、硬化させる。続いて、金属色の隠蔽のために、高いコントラスト比を有する硬化性組成物からなるオペークペーストを塗布、硬化させる。必要に応じて、該オペークペーストの塗布と硬化を繰り返す。十分な金属遮蔽性が得られた後、必要に応じて筆等を用いて色調調整した着色材のペーストを対象の歯冠修復物に塗布した後、歯冠形成用硬質レジンペーストを上に少しずつ築盛し、必要に応じて重合を繰り返しながら、最終的には歯牙形態を作製する。
【０００４】
近年の歯科治療においては、審美性の重要性はより高まっており、特に上述の前装冠においては、高いレベルの審美性が要求されるため、オペーク材や着色材のペーストを筆等による塗布に代えて、これらのペーストが充填された歯科用シリンジから直接、築盛が行われている。このようなペーストを築盛する作業の作業効率を向上させるためには、歯科用シリンジを安定して保持する必要がある。歯科用シリンジを安定して保持するための保持具としては、例えばBredent社が販売するcrea.lign Dentin用のハンドル（非特許文献１）がある。
【先行技術文献】
【非特許文献】
【０００５】
【非特許文献１】http://www.bredent.com/en/bredent/product-group/155005/page/1/
【発明の概要】
【発明が解決しようとする課題】
【０００６】
歯科用シリンジを使用したペーストの築盛等の作業では、歯科用シリンジの回転と、補綴物等の作業対象物との間隔の調整という緻密な作業が重要である。非特許文献１の従来の歯科用シリンジ保持具では、親指及び人差し指及び／または中指で歯科用シリンジを回転可能であるものの、歯科用シリンジ保持具を安定的に保持するためには、シリンジを保持するシリンジ保持部の外周に形成された把持部を、中指、薬指、小指を使用して握る必要があるため、補綴物等の作業対象物との間隔の調整に、中指、薬指、小指を使用することができない。そのため、非特許文献１の従来の歯科用シリンジ保持具では、補綴物等の作業対象物との間隔の調整を十分に行うことができず、歯科用シリンジにおける緻密な作業の作業性を向上させることができない場合が生じていた。
【０００７】
本発明は、上記の課題を解決すべくなされたものであり、歯科用シリンジの保持安定性を向上させつつ、歯科用シリンジにおける緻密な作業の作業性を向上させることができる歯科用シリンジ保持具を提供することを目的とする。
【課題を解決するための手段】
【０００８】
発明者らは、歯科用シリンジを使用したペーストの築盛等の作業では、ペンを持つように、親指、人差し指、中指の３本の指で歯科用シリンジを保持しつつ、親指及び人差し指で歯科用シリンジを回転可能とし、さらに、中指、薬指及び小指の３本の指から、作業対象物に当接させる指を選択可能とし、歯科用シリンジと作業対象物との間隔を調整できる範囲を大きくすることで、歯科用シリンジの保持安定性の維持と、歯科用シリンジにおける緻密な作業の作業性の向上との両立を最大限に達成することが可能であることを見出した。
本発明者らは、これらの知見に基づき、ペンを持つように、歯科用シリンジを保持する場合の、歯科用シリンジ保持具について鋭意検討を行った結果、シリンジ保持部の外周に、人差し指と中指とで挟まれる挟持用羽部を形成し、この挟持用羽部を人差し指と中指とで挟むことで、歯科用シリンジ保持具が保持する歯科用シリンジの保持安定性を向上させつつ、歯科用シリンジにおける緻密な作業の作業性を向上させることができることを見出した。
本発明はこれらの知見に基づくものであり、その要旨構成は、以下の通りである。
【０００９】
本発明の歯科用シリンジ保持具は、シリンジの外筒を着脱自在に保持するシリンジ保持部と、該シリンジ保持部の外周に形成され、かつ、人差し指と中指とで挟まれる挟持用羽部と、を備えることを特徴とするものである。
本発明の歯科用シリンジ保持具によれば、歯科用シリンジの保持安定性を向上させつつ、歯科用シリンジにおける緻密な作業の作業性を向上させることができる。
【００１０】
また、本発明の歯科用シリンジ保持具では、前記シリンジ保持部の外周に形成され、親指を載置できる載置用羽部をさらに備えることが好ましい。
この構成によれば、歯科用シリンジの保持安定性をさらに向上させつつ、歯科用シリンジにおける緻密な作業の作業性をさらに向上させることができる。
【００１１】
また、本発明の歯科用シリンジ保持具では、シリンジの軸方向と直交する平面への投影像において、前記シリンジ保持部の外周を囲う最小の仮想円の中心、及び、前記挟持用羽部の形成位置を結ぶ第１の線分と、前記仮想円の中心、及び、前記載置用羽部の形成位置を結ぶ第２の線分とのなす角が９０°以上１７０°以下の範囲であることが好ましい。
この構成によれば、歯科用シリンジの保持安定性をさらに向上させつつ、歯科用シリンジにおける緻密な作業の作業性をさらに向上させることができる。
【００１２】
また、本発明の歯科用シリンジ保持具では、前記挟持用羽部の最大厚み寸法は、０．２ｍｍ以上５ｍｍ以下であることが好ましい。
この構成によれば、歯科用シリンジの保持安定性をさらに向上させつつ、歯科用シリンジにおける緻密な作業の作業性をさらに向上させることができる。
ここで、挟持用羽部の最大厚み寸法とは、人差し指が接触する面と中指が接触する面との間の最短距離の最大寸法である。
【００１３】
また、本発明の歯科用シリンジ保持具では、前記挟持用羽部の最大厚み寸法及び前記載置用羽部の最大厚み寸法は、０．２ｍｍ以上５ｍｍ以下であることが好ましい。
この構成によれば、歯科用シリンジの保持安定性をさらに向上させつつ、歯科用シリンジにおける緻密な作業の作業性をさらに向上させることができる。
ここで、載置用羽部の最大厚み寸法とは、親指を載置する面と、この面に対向する面の間の最短距離の最大寸法である。
【００１４】
また、本発明の歯科用シリンジ保持具では、シリンジをスライド可能に保持することが好ましい。
この構成によれば、歯科用シリンジの保持安定性をさらに向上させつつ、歯科用シリンジにおける緻密な作業の作業性をさらに向上させることができる。
【００１５】
また、本発明の歯科用シリンジは、本発明の歯科用シリンジ保持具を備えるものである。
【発明の効果】
【００１６】
本発明によれば、歯科用シリンジの保持安定性を向上させつつ、歯科用シリンジにおける緻密な作業の作業性を向上させることができる歯科用シリンジ保持具を提供することができる。
【図面の簡単な説明】
【００１７】
【図１】本発明の一実施形態にかかる歯科用シリンジ保持具の概略側面図である。
【図２】シリンジ保持部と、キャップ部分とが分離可能な歯科用シリンジ保持具の概略側面図である。
【図３Ａ】シリンジ保持部の内周面側を示す平面図である。
【図３Ｂ】シリンジ保持部の左側面（一端側の側面）図である。
【図４Ａ】キャップ部分の内周面側を示す平面図である。
【図４Ｂ】キャップ部分の左側面図である。
【図５】一実施形態にかかる歯科用シリンジ保持具の使用状態を示す図である。
【発明を実施するための形態】
【００１８】
以下、本発明の実施形態について、図面を参照して詳細に例示説明する。図１は、本発明の一実施形態にかかる一体型の歯科用シリンジ保持具１の概略側面図である。図２は、本発明の他の一実施形態にかかるシリンジ保持部４と、キャップ部分５とが分離可能な分離型の歯科用シリンジ保持具１の概略側面図である。以下、図２の分離可能な歯科用シリンジ保持具１について詳細に例示説明する。この歯科用シリンジ保持具１は、シリンジＳの外筒を着脱自在に保持するシリンジ保持部４と、シリンジ保持部４の外周面６ａに装着できるキャップ部分５からなり、このキャップ部分５には一対の係指部３が形成されている。キャップ部５に形成される一対の係指部３は、挟持用羽部３ａ及び載置用羽部３ｂが構成されている。挟持用羽部３ａは、人差し指と中指とで挟まれる挟持用羽部であり、載置用羽部３ｂは、親指が載置される載置用羽部である。なお、挟持用羽部は、人差し指と中指との組み合わせ以外の指の組み合わせで挟持されてもよい。同様に、載置用羽部は、親指以外の指が載置されてもよい。
【００１９】
図３（Ａ）及び（Ｂ）は、シリンジ保持部４の平面図及び左側面図であり、図４（Ａ）及び（Ｂ）は、キャップ部分５の平面図及び左側面図である。本実施形態では、シリンジ保持部４は、一端４ａ側にキャップ部分５が脱着可能な狭幅部６を有している。本実施形態では、シリンジ保持部４の一端４ａから、狭幅部６の外周面６ａとキャップ部分５の内周面５ａとが接触するように、キャップ部分５をシリンジ保持部４の長手方向にスライドさせることにより、キャップ部分５をシリンジ保持部４に対して装着することができる。
【００２０】
挟持用羽部３ａは、シリンジＳの軸方向と直交する平面への投影像における長手方向の寸法（キャップ部分５の外周面５ｂとの接続部から先端までの寸法）が、１ｃｍ以上７ｃｍ以下であることが好ましい。１ｃｍ未満の場合、人差し指と中指で挟むことが困難となり、歯科用シリンジの保持安定性を十分に得ることができない場合が生じる。また、７ｃｍよりも大きい場合、築盛等の作業の邪魔となり、歯科用シリンジにおける緻密な作業の作業性を向上させることができない場合が生じうる。
また、挟持用羽部３ａの幅寸法（キャップ部分５の外周面５ｂにおける、シリンジＳの軸方向の一端から他端までの寸法）が、０．１ｃｍ以上２ｃｍ以下であることが好ましい。０．１ｃｍ未満の場合、人差し指及び中指と、挟持用羽部３ａとの接触面積を確保できず、歯科用シリンジの保持安定性を十分に得ることができない場合が生じる。また、２ｃｍよりも大きい場合、築盛等の作業の邪魔となり、歯科用シリンジにおける緻密な作業の作業性を向上させることができない場合が生じうる。
さらに、挟持用羽部３ａの最大厚み寸法（人差し指が接触する面と中指が接触する面との間の最短距離の最大寸法）が、０．２ｍｍ以上５ｍｍ以下であることが好ましい。０．２ｍｍ未満の場合、挟持用羽部３ａの強度が不足し、挟持用羽部３ａに破損・変形等が生じうる。また、５ｍｍよりも大きい場合、人差し指と中指とで挟む感触に違和感が生じ、築盛等の作業が困難となる。
【００２１】
載置用羽部３ｂは、シリンジＳの軸方向と直交する平面への投影像における長手方向の寸法（キャップ部分５の外周面５ｂとの接続部から先端までの寸法）が、０．５ｃｍ以上５ｃｍ以下であることが好ましい。０．５ｃｍ未満の場合、親指を十分に載置することが困難となり、歯科用シリンジの保持安定性を十分に得ることができない場合が生じる。また、５ｃｍよりも大きい場合、築盛等の作業の邪魔となり、歯科用シリンジにおける緻密な作業の作業性を向上させることができない。
また、載置用羽部３ｂの幅寸法（キャップ部分５の外周面５ｂにおける、シリンジＳの軸方向の一端から他端までの寸法）が、０．２ｃｍ以上３ｃｍ以下であることが好ましい。０．２ｃｍ未満の場合、親指と、載置用羽部３ｂとの接触面積を確保できず、歯科用シリンジの保持安定性を十分に得ることができない。また、３ｃｍよりも大きい場合、築盛等の作業の邪魔となり、歯科用シリンジにおける緻密な作業の作業性を向上させることができない。
さらに、載置用羽部３ｂの最大厚み寸法（親指を載置する面と対向する面との間の最短距離の最大寸法）が、０．２ｍｍ以上５ｍｍ以下であることが好ましい。０．２ｍｍ未満の場合、載置用羽部３ｂの強度が不足し、載置用羽部３ｂに破損・変形等が生じうる。また、５ｍｍよりも大きい場合、親指を載置する感覚に違和感が生じ、築盛等の作業が困難となる。
【００２２】
図３（Ａ）及び図３（Ｂ）並びに図４（Ａ）及び図４（Ｂ）に示すように、本実施形態の歯科用シリンジ保持具１は、切り欠き筒形状を有している。具体的には、本実施形態では、歯科用シリンジ保持具１を構成する、シリンジ保持部４及びキャップ部分５はいずれも、切り欠き筒形状を有している。
【００２３】
図３（Ａ）に示すように、本実施形態では、歯科用シリンジ保持具１を構成するシリンジ保持部４の内周面４ｂに突起部７が形成されている。詳細には、本実施形態の突起部７は、図３（Ａ）及び図３（Ｂ）に示すように、断面が台形形状を有しており、シリンジ保持部４の他端４ｃから、シリンジ保持部４の長手方向に沿って、シリンジ保持部４の中央付近まで延在している。
【００２４】
図３（Ａ）及び図３（Ｂ）に示すように、本実施形態では、シリンジ保持部４の内周面４ｂの、シリンジＳの軸方向ＡＤと直交する平面への投影像において両端４ｄ及び４ｅとなる領域に、突出部８がそれぞれ形成されている。本実施形態の突出部８は、図３（Ａ）及び図３（Ｂ）に示すように、シリンジ保持部４の他端４ｃから、シリンジ保持部４の長手方向に沿って、シリンジ保持部４の中央付近まで延在している。特に本実施形態では、シリンジ保持部４の長手方向に沿った突起部７の寸法と、シリンジ保持部４の長手方向に沿った突出部８の寸法とは同一となるように構成されている。
【００２５】
突出部８は、シリンジＳの外筒に接触するように形成されているのが好ましい。また、シリンジＳに歯科用シリンジ保持具１を取り付けるためのスリットが形成されている場合には、このスリットに嵌合するように突出部８を構成することがより好ましい。
【００２６】
図４（Ａ）及び図４（Ｂ）に示すように、本実施形態では、シリンジＳの軸方向ＡＤと直交する平面への投影像において、シリンジ保持部４の外周を囲う最小の仮想円Ｖの中心Ｃ、及び、挟持用羽部３ａの第一の形成位置Ｐ１を結ぶ第１の線分Ｌ１と、仮想円Ｖの中心Ｃ、及び、載置用羽部３ｂの第二の形成位置Ｐ２を結ぶ第２の線分Ｌ２とのなす角θが９０°以上１７０°以下の範囲である。具体的には、本実施形態では、線分Ｌ１と線分Ｌ２とのなす角は、１６５°である。
詳細には、本実施形態では、挟持用羽部３ａは、歯科用シリンジ保持具１を構成するキャップ部分５の外周面５ｂの端５ｃから端５ｄに形成されている。また本実施形態では、載置用羽部３ｂは、歯科用シリンジ保持具１を構成するキャップ部分５の外周面５ｂの端５ｅから端５ｆに形成されている。ここで、シリンジＳの軸方向ＡＤと直交する平面への投影像における狭幅部６の外周面６ａの形状は、図４（Ｂ）におけるキャップ部分５の内周面５ａの形状と同一である。
なお、本実施形態では、キャップ部分５の円弧状の外周面５ｂは、端５ｄ及び端５ｅで切り欠かれている。
【００２７】
図４（Ａ）及び図４（Ｂ）に示すように、本実施形態では、挟持用羽部３ａ及び載置用羽部３ｂは、長手方向の寸法が互いに異なる。具体的には、挟持用羽部３ａの長手方向の寸法は、載置用羽部３ｂの長手方向の寸法よりも長く構成されている。
【００２８】
特に本実施形態では、図４（Ａ）及び図４（Ｂ）に示すように、キャップ部分５の内周面５ａには、端５ｃから端５ｄ及び端５ｅから端５ｆに、突出部９がそれぞれ形成されている。そのため、キャップ部分５の内周面５ａと、突出部９とにより挟まれた空間に、シリンジ保持部４の狭幅部６の、シリンジＳの軸方向ＡＤと直交する平面への投影像における両端を保持することができる。
【００２９】
次に本実施形態の歯科用シリンジ保持具１の使用方法について説明する。まず、作業対象物、作業者及び作業内容に応じて適切な一対の係指部３を有するキャップ部分５を選択し、キャップ部分５に形成された突出部９が、シリンジ保持部４の狭幅部６の両端を保持するように、シリンジ保持部４の一端４ａからキャップ部分をスライドさせて、シリンジ保持部４に装着する。次に、歯科用シリンジ保持具１の一端からシリンジＳを挿入し、突出部８がシリンジＳの外筒に接触又はシリンジＳのスリットに嵌合するようにして、シリンジＳを歯科用シリンジ保持具１に保持させる。図５に示すように、挟持用羽部３ａを、人差し指と中指との間に挟み、載置用羽部３ｂに親指を載置させて歯科用シリンジ保持具１を保持し、歯科用シリンジ保持具１に対してシリンジＳを移動させて、中指、薬指及び小指の３本の指の１本以上を所望の態様で作業対象物に当接させながら、シリンジＳを親指と人差し指とで回転させて、ペーストの築盛等を行う。
【００３０】
以下、本実施形態の歯科用シリンジ保持具１の作用効果について、ペンを持つように、親指、人差し指、中指の３本の指で歯科用シリンジを保持する場合を例に説明する。
【００３１】
本実施形態の歯科用シリンジ保持具１は、人差し指と中指とで挟むことができる挟持用羽部３ａを備える。このような構成の歯科用シリンジ保持具１では、まず、ペンを持つように、親指、人差し指、中指の３本の指で歯科用シリンジＳを保持しつつ、親指及び人差し指で歯科用シリンジＳを回転可能とすることができる。また、挟持用羽部３ａを人差し指と中指とで挟むことで、歯科用シリンジ保持具１が保持する歯科用シリンジＳの保持安定性を向上させることができる。さらに、中指の先端側、薬指及び小指の３本の指を使用せずに歯科用シリンジＳを安定的に保持することができるため、作業対象物に当接させる指を、中指、薬指及び小指から選択することができる。そのため、歯科用シリンジＳと作業対象物との間隔を調整できる範囲を大きくすることができ、歯科用シリンジＳにおける緻密な作業の作業性を向上させることができる。
以上のように、本実施形態の歯科用シリンジ保持具１によれば、歯科用シリンジＳの保持安定性を維持させつつも、歯科用シリンジＳにおける緻密な作業の作業性を向上させることができる。
【００３２】
本発明にあっては、図２乃至図４の一実施形態に示すように、親指を載置できる載置用羽部３ｂをさらに備えることが好ましい。
このようにすると、親指を載置用羽部３ｂに載置することで歯科用シリンジ保持具１の揺動を抑制することができるため、歯科用シリンジの保持安定性をさらに向上させつつ、歯科用シリンジにおける緻密な作業の作業性をさらに向上させることができる。
【００３３】
本発明にあっては、図２乃至図４の一実施形態に示すように、シリンジＳの軸方向ＡＤと直交する平面への投影像において、シリンジ保持部４の外周を囲う最小の仮想円Ｖの中心Ｃ、及び、挟持用羽部３ａの第一の形成位置Ｐ１を結ぶ第１の線分Ｌ１と、仮想円Ｖの中心Ｃ、及び、載置用羽部３ｂの第二の形成位置Ｐ２を結ぶ第２の線分Ｌ２とのなす角θが９０°以上１７０°以下の範囲であることが好ましい。このようにすると、シリンジＳの軸方向ＡＤと直交する平面への投影像において、挟持用羽部３ａ及び載置用羽部３ｂは、非対称に形成されることとなる。そのため、歯科用シリンジＳを保持する場合における歯科用シリンジに対する親指の位置及び人差し指と中指との間の位置の関係、並びに、親指及び人差し指で歯科用シリンジを回転させる際の親指及び人差し指の位置関係に、挟持用羽部３ａ及び載置用羽部３ｂの位置を対応させることができる。また、作業対象物との間隔の調整に中指を使用することが可能となる。そのため、歯科用シリンジの保持安定性を向上させつつ、歯科用シリンジにおける緻密な作業の作業性をさらに向上させることができる。
【００３４】
本発明にあっては、図２乃至図４の一実施形態に示すように、挟持用羽部３ａの最大厚み寸法は、０．２ｍｍ以上５ｍｍ以下であることが好ましい。このようにすると、挟持用羽部３ａの破損・変形等を抑制しつつ、人差し指と中指とで挟む感触に違和感が生じて築盛等の作業が困難となる場合が生じることを抑制することができる。そのため、歯科用シリンジの保持安定性をさらに向上させつつ、歯科用シリンジにおける緻密な作業の作業性をさらに向上させることができる。
【００３５】
本発明にあっては、図２乃至図４の一実施形態に示すように、載置用羽部３ｂの最大厚み寸法は、０．２ｍｍ以上５ｍｍ以下であることが好ましい。このようにすると、載置用羽部３ｂの破損・変形等を抑制しつつ、親指を載置する感覚に違和感が生じて築盛等の作業が困難となる場合が生じることを抑制することができる。そのため、歯科用シリンジの保持安定性をさらに向上させつつ、歯科用シリンジにおける緻密な作業の作業性をさらに向上させることができる。
【００３６】
本発明にあっては、図２乃至図４の一実施形態に示すように、シリンジをスライド可能に保持することが好ましい。このようにすると、シリンジＳと作業対象物との間隔の調整可能となるので、ペーストの築盛等を行う際に、中指、薬指及び小指の３本の指の１本以上を所望の態様で作業対象物に当接させることができる。よって、歯科用シリンジの保持安定性をさらに向上させつつ、歯科用シリンジにおける緻密な作業の作業性をさらに向上させることが可能となる。
【００３７】
本発明にあっては、図２乃至図４の一実施形態に示すように、歯科用シリンジ保持具１のシリンジ保持部４の内周面４ａには、シリンジＳの外周面とシリンジ保持部４の内周面４ａとの間に隙間を確保するための突起部７が少なくとも一つ形成されていることが好ましい。このようにすると、シリンジＳの外周面とシリンジ保持部４の内周面４ａとの接触面積を減らすことができるので、シリンジ保持具１に対するシリンジＳの回転・移動を容易に行うことができる。
【００３８】
さらに、本発明にあっては、挟持用羽部３ａの長手方向の寸法は、載置用羽部３ｂの長手方向の寸法よりも長いことが好ましい。このような構成とすると、例えば、作業対象物との間隔の調整に中指を使用するために、中指がシリンジから離れる方向に移動しても、人差し指と中指とで長手方向の寸法が大きい挟持用羽部３ａを挟むことができるため、歯科用シリンジの保持安定性が損なわれることがない。また、載置用羽部３ｂが築盛等の作業の邪魔となることをより抑制しており、歯科用シリンジにおける緻密な作業の作業性をより向上させることができる。なお、挟持用羽部３ａの長手方向の寸法と、載置用羽部３ｂの長手方向の寸法とは同じであってもよい。
【００３９】
また、本発明にあっては、図２乃至図４の一実施形態に示すように、シリンジ保持具１は、切り欠き筒形状を有することが好ましい。このような構成とすると、歯科用シリンジＳの着脱を容易に行うことができる。
【００４０】
さらに、本発明にあっては、図２乃至図４の一実施形態に示すように、シリンジ保持部４の内周面４ｂには、シリンジＳの軸方向と直交する平面への投影像において両端４ｄ及び４ｅとなる領域に、シリンジＳを保持する突出部８が形成されていることが好ましい。この構成によれば、歯科用シリンジの脱落を防止することができる。
【００４１】
さらに、本発明にあっては、図２乃至図４の一実施形態に示すように、載置用羽部３ｂは、キャップ部分５の端５ｃから端５ｄに形成され、挟持用羽部３ａは、キャップ部分の端５ｅから端５ｆに形成されることが好ましい。この構成によれば、歯科用シリンジを保持する場合における歯科用シリンジに対する親指の位置及び人差し指と中指との間の位置の関係、並びに、親指及び人差し指で歯科用シリンジを回転させる際の親指及び人差し指の位置関係への、載置用羽部３ｂ及び挟持用羽部３ａの位置を最適化しつつ、作業対象物との間隔の調整への中指の使用がより容易となる。そのためこの構成によれば、歯科用シリンジにおける緻密な作業の作業性をさらに向上させることができる。
【００４２】
さらに、本発明にあっては、図２乃至図４の一実施形態に示すように、シリンジ保持具１は、シリンジ保持部４と、狭幅部６の一端４ａに着脱可能なキャップ部分５とを有し、一対の係指部３は、キャップ部分５に形成されていることが好ましい。この構成によれば、作業対象物の変更、作業者の変更、作業者の使用する手の変更があっても、キャップ部分５のみを変更することで一対の係指部３を最適化することができるので、歯科用シリンジの保持安定性をさらに向上させつつも、歯科用シリンジにおける緻密な作業の作業性をさらに向上させることができる。
【００４３】
上記一実施形態では、挟持用羽部３ａ及び載置用羽部３ｂが形成されている場合について説明したが、本発明は、載置用羽部３ｂが形成されていなくともよい。また、上記一実施形態では、シリンジ保持具１がシリンジ保持部４と、着脱可能なキャップ部分５とに分離する場合について説明をしたが、図１のように全体が一体的に形成されていてもよい。
【００４４】
他の実施形態にかかる歯科用シリンジ保持具１として、シリンジ保持部４を筒状とすることができる。本形態では歯科用シリンジの保持安定性及び歯科用シリンジにおける緻密な作業の作業性を向上させつつ、突起部７、突出部８で歯科用シリンジの脱落を防止することができる。
【００４５】
本発明のさらに他の実施形態にかかる歯科用シリンジ保持具では、挟持用羽部３ａ及び載置用羽部３ｂを内周面の径寸法が互いに円環状係指部として構成することもできる。本構成にて、歯科用シリンジの保持安定性を向上させ、円環状の挟持用羽部３ａ及び載置用羽部３ｂとすることで、歯科用シリンジにおける緻密な作業の作業性を向上させている。
【００４６】
本発明は、本発明の歯科用シリンジ保持具を備える歯科用シリンジとして把握することができる。
【産業上の利用可能性】
【００４７】
本発明は歯科用補綴物を作製するにあたり、歯科用シリンジの保持安定性を向上させることができる。
【符号の説明】
【００４８】
１：歯科用シリンジ保持具
３：一対の係指部
３ａ：挟持用羽部
３ｂ：載置用羽部
４：シリンジ保持部
４ａ：一端
４ｂ：内周面
４ｃ：他端
４ｄ、４ｅ：端
５：キャップ部分
５ａ：内周面
５ｂ：外周面
５ｃ、５ｄ：端
５ｅ、５ｆ：端
６：狭幅部
６ａ：外周面
７：突起部
８：突出部
９：突出部
ＡＤ：軸方向
Ｃ：中心
Ｌ１：第１の線分
Ｌ２：第２の線分
Ｓ：シリンジ
Ｖ：仮想円
Ｐ１：第一の形成位置
Ｐ２：第二の形成位置
【図１】
0006689526.tif 000002
【図２】
0006689526.tif 000003
【図３Ａ】
0006689526.tif 000004
【図３Ｂ】
0006689526.tif 000005
【図４Ａ】
0006689526.tif 000006
【図４Ｂ】
0006689526.tif 000007
【図５】
0006689526.tif 000008